(57)【要約】【課題】  異なる寸法のランプにも容易に対応することができ、製造が容易で鈑金材料の使用量を減らすことによりコストを大幅に低減することのできる器具本体を備えた照明器具を提供する。【解決手段】  両端部近傍にそれぞれ本体接合部４ａ〜４ｅ及び安定器取付部５ａ〜５ｃを有し、本体接合部４ａ〜４ｅの間に複数のソケット取付部６ａ〜６ｅ及び少なくとも１つの端子台取付部７ａが設けられた長方形の鈑金板材２を有し、４枚の鈑金板材２ａ〜２ｄの端部どうしを重ね合わせて固定して形成したロ字状の器具本体１を備えた。【選択図】        図１
2005285622.tif 000002
【特許請求の範囲】
【請求項１】
両端部近傍にそれぞれ本体接合部及び安定器取付部を有し、前記本体接合部の間に複数のソケット取付部及び少なくとも１つの端子台取付部が設けられた長方形の鈑金板材を有し、４枚の前記鈑金板材をロ字状に配置して端部どうしを重ね合わせて固定した器具本体を備えたことを特徴とする照明器具。
【請求項２】
前記鈑金板材は、一方の端部側の長手方向の内側に設けられた一対の穴からなる第１の本体接合部、他方の端部から若干離れて長手方向と直交して設けられた一対の穴からなる第２の本体接合部、及び前記他方の端部近傍の内側に設けられた穴からなる第３の本体接続部と、
前記第１の本体接合部の近傍において外側寄りに設けられた穴からなる第１の安定器取付部、前記第３の本体接合部の近傍に設けられた穴からなる第２の安定器取付部、及び第２の本体接合部の近傍に設けられた穴からなる第３の安定器取付部と、
前記第１、第２の本体接合部の間に設けられた複数のソケット取付部と、
該ソケット取付部の近傍に設けられた端子台取付部とを備えたことを特徴とする請求項１記載の照明器具。
【請求項３】
前記鈑金板材をロ字状に配置して両端部をそれぞれ重ね合わせて第１の本体接合部と第２の本体接合部とを整合させ、それぞれ固定して器具本体を形成したことを特徴とする請求項２記載の照明器具。
【請求項４】
前記鈑金板材をロ字状に配置して両端部の角部をそれぞれ重ね合わせて第１の本体接合部と第３の本体接合部とを整合させ、それぞれ固定して器具本体を形成したことを特徴とする請求項２記載の照明器具。
【請求項５】
前記請求項１〜４のいずれかの器具本体の安定器取付部に安定器、ソケット取付部にソケット、端子台取付部に端子台をそれぞれ取付けたことを特徴とする照明器具。
【発明の詳細な説明】
【技術分野】
【０００１】
本発明は、例えば天井面に設置される照明器具に関するものである。
【背景技術】
【０００２】
この種の照明器具に、ランプを内蔵し前面を照射開口すると共にソケット挿通部が形成された反射体と、この反射体の外周部の背面側に配設されると共に配線収納部が形成された本体と、この本体に取付けられた点灯装置と、本体に取付けられソケット挿通部を介して反射体の前面側に突出するランプソケットと、配線収納部に配線され点灯装置及びランプソケットを接続する電線とを備えたものがある（例えば、特許文献１参照）。
【特許文献１】特開平５−２５０９０９号公報（第１頁−２頁、図１−図２）
【発明の開示】
【発明が解決しようとする課題】
【０００３】
特許文献１の照明器具は、装着する部品の位置及びランプの大きさや数に合わせて、それぞれ異なる大きさの側部金具と端部金具を組合わせて本体を製作するため、在庫部品の数が多くなって在庫管理が面倒であるばかりでなく、鈑金材料の使用量が増加するため大幅なコストアップは避けられない。
【０００４】
本発明は、上記の課題を解決するためになされたもので、異なる寸法のランプにも容易に対応することができ、製造が容易で鈑金材料の使用量を減らすことによりコストを大幅に低減することのできる器具本体を備えた照明器具を提供することを目的としたものである。
【課題を解決するための手段】
【０００５】
本発明に係る照明器具は、両端部近傍にそれぞれ本体接合部及び安定器取付部を有し、前記本体接合部の間に複数のソケット取付部及び少なくとも１つの端子台取付部が設けられた長方形の鈑金板材を有し、４枚の前記鈑金板材をロ字状に配置して端部どうしを重ね合わせて固定した器具本体を備えたものである。
【発明の効果】
【０００６】
本発明は、同じ構造の４枚の鈑金板材をロ字状に接合して器具本体を構成したので、異なる寸法のランプにも容易に対応することができ、製造が容易で鈑金材料の使用量を減らすことができるので、コストを大幅に低減することができる。
【発明を実施するための最良の形態】
【０００７】
図１は本発明の一実施の形態に係る照明器具の器具本体の平面図、図２は器具本体を構成する鈑金板材の平面図及び側面図である。
本発明に係る器具本体は、同じ構造の４枚の鈑金板材２をロ字状に組合わせてなり、この器具本体１に安定器１０、ソケット２０及び端子台３０を搭載したものである。
【０００８】
鈑金板材２は、図２に示すように、金属板をプレス加工してなり、一方の縁部を上方に折曲げて後述のランプホルダを有する反射部材４０を取付けるための取付片３が形成された長方形のもので、内側（以下の説明では、取付片３側を外側、その反対側を内側という）の一方の端部側（図の右側）には、端部から長手方向に、鈑金板材２の幅Ｗと等しい範囲内において、所定の間隔で第１の本体接合部である一対の接合穴４ａ，４ｂが設けられている。また、他方の側（図の左側）には、端部から長手方向に鈑金板材２の幅Ｗの位置より若干端部側の幅方向に、第１の本体接合部の接合穴４ａ，４ｂに対応して第２の本体接合部である一対の接合穴４ｃ，４ｄが設けられており、端部近傍の内側の第１の本体接合部の接合穴４ｂと対称位置には、第３の本体接合部である接合穴４ｅが設けられている。
【０００９】
５ａは図の右端側の外側寄りに、第１の本体接合部の接合穴４ａとほぼ対向する位置に設けた第１の安定器取付部である取付穴、５ｂは図の左端側の内側寄りに設けた第２の安定器取付部である取付穴、５ｃは第２の本体接合部の接合穴４ｄの近傍に設けた第３の安定器取付部である取付穴である。
６ａ〜６ｅは、幅方向の中央部より若干内側寄りの長手方向に設けた複数のソケット取付部で、それぞれ３個の穴からなっている。７ａ，７ｂはソケット取付部６ｂ，６ｃの内側に設けられた複数の穴からなる端子台取付部である。
【００１０】
次に、図１、図２を参照して、本発明に係る器具本体１の組立手順の一例について説明する。
先ず、第１の鈑金板材２ａを取付片３を外側にして配置し、その右端部（図の右側）に直交して第２の鈑金板材２ｂの左端部（図２の左側）を載置して重ね合わせ、両者の第１の本体接合部の接合穴４ａ，４ｂと第２の本体接合部の接合穴４ｃ，４ｄをそれぞれ整合させ、これらの穴にねじ、リベット等を挿通して両者を固定する。次に、第２の鈑金板材２ｂの右端部に直交して第３の鈑金板材２ｃの左端部を載置して重ね合わせ、同様にして本体接合部の接合穴４ｃと４ａ，４ｄと４ｂをそれぞれ整合させ、ねじ、リベット等を挿通して固定する。
【００１１】
ついで、第３の鈑金板材２ｃの右端部に直交して第４の鈑金板材２ｄの左端部を載置して重ね合わせると共に、第４の鈑金板材４ｄの右端部を第１の鈑金板材２ａの左端部の下に入れて重ね合わせ、第３、第４の鈑金板材２ｃ，２ｄの本体接合部の接合穴４ｃと４ａ、４ｄと４ｂを整合させて、これらの穴にねじ、リベット等を挿入して固定する。また、第１、第４の鈑金板材２ａ，２ｄの本体接合部の接合穴４ｃと４ａ、４ｄと４ｂを整合させて、これらの穴にねじ、リベット等を挿入して固定する。このとき、第２、第３の鈑金板材２ｂ，２ｃの安定器取付部の取付穴５ａと５ｂ、第１、第４の鈑金板材２ａ，２ｄの安定器取付部の取付穴５ｂ，５ａはそれぞれ整合する。
【００１２】
これにより、ロ字状の器具本体１の組立が終了する。この場合、上述の説明では、各鈑金板材２ａ〜２ｄの端部を、その都度ねじ、リベット等により固定する場合を示したが、これらを仮止めしておき、４枚の鈑金板材２ａ〜２ｄの組合わせが終ったのち、ねじ、リベット等により固定してもよい。なお、上記の組立手順はその一例を示すもので、適宜変更することができる。
【００１３】
器具本体１の組立が終ったときは、図３に示すように、第２の鈑金板材２ｂの安定器取付部の取付穴５ｃと第２、第３の鈑金板材２ｂ，２ｃの安定器取付部の取付穴５ａ，５ｂ、第４の鈑金板材２ｄの安定器取付部の取付穴５ｃと第１、第４の鈑金板材２ａ，２ｄの安定器取付部の取付穴５ｂ，５ａに、それぞれ安定器１０ａ，１０ｂの取付脚を挿入し、ナットにより固定する。
【００１４】
また、第１の鈑金板材２ａのソケット取付部６ａ，６ｃ，６ｅの穴に、それぞれソケット２０ａ，２０ｂ，２０ｃの脚を挿入してナットで固定し、取付ける。このとき、両側のソケット２０ａ，２０ｃは、第１、第２の鈑金板材２ａと２ｂ、第１、第４の鈑金板材２ａと２ｄにそれぞれ跨って取付けられる。最後に端子台取付部７ａ（又は７ｂ）に端子台３０を取付けて、必要な配線を行う。
これにより、器具本体１の電気部品の取付けが終了する。なお、安定器１０ａ，１０ｂは第１と第３の鈑金板材２ａと２ｃ上に取付けてもよく、また、ソケット２０ａ〜２０ｃ及び端子台３０は、安定器１０ａ，１０ｂが取付けられていない他の鈑金板材２に取付けてもよい。
【００１５】
上記の説明では、片口金型のランプを使用するために、第１の鈑金板材２ａだけにソケット２０ａ〜２０ｃを取付けた場合を示したが、第３の鈑金板材２ｃのソケット２０ａ〜２０ｃと対向する位置にもソケットを取付ければ、両口金型のランプを装着することができる。
また、上記の説明では、ソケット２０ａ〜２０ｃを３個取付けた場合を示したが、ソケットは１個又は２個でもよく、あるいは４個以上であってもよい。
【００１６】
上記のように電気部品が搭載された器具本体１には、図４に示すように、ランプホルダ４１及びソケット２０ａ〜２０ｃの間にＶ字状反射板４２を有する反射部材４０が、上面を覆って装着される。
【００１７】
ところで、照明器具、したがって器具本体１の大きさは、これに装着されるランプの大きさ（長さ）に応じて設定されるが、前述のように、従来は装着する部品の位置やランプの大きさや数に合わせて、それぞれ異なる大きさの側部金具と端部金具を組合わせて器具本体を製作していた。
本発明においては、上述の鈑金板材２を用いて、長さや数の異なるランプの場合にも容易に対応しうるようにしたものである。
【００１８】
すなわち、ランプの長さが長い場合は、図５に示すように、第１の鈑金板材２ａの右端部の内側角部の上に、第２の鈑金板材２ｂの左端部の内側角部を重ね合わせて、本体接合部の取付穴４ｅと４ｂを整合させ、これらの穴にねじ、リベット等を挿入して固定し、以下同様にして第２、第３の鈑金板材２ｂと２ｃ、第３、第４の鈑金板材２ｃと２ｄ、第４、第１の鈑金板材２ｄと２ａを順次接合して、対向する第１、第３の鈑金板材２ａと２ｃ、第２、第４の鈑金板材２ｂと２ｄ間の距離が装着するランプの長さに対応した長さのロ字状の器具本体１を構成したものである。
【００１９】
これにより、短かいランプの場合は図１の器具本体１を、長いランプの場合は図５の器具本体１を用いて対応することができる。
なお、図には、鈑金板材２に説明に必要な穴を設けた場合を示したが、必要に応じて適宜穴を設けることができる。
【００２０】
以上の説明から明らかなように、本発明に係る器具本体は、同じ構造の４枚の鈑金板材２をロ字状に組合わせて形成し、また、ランプの長さが異なる場合でも同じ鈑金板材によりこれに対応できるので、生産性が向上する。
また、器具本体を構成する材料が１種のため、プレス加工の金型も一種類でよく、その上鈑金材料の使用量も少なくてすむので、コストを大幅に低減できる。
さらに、器具本体に搭載する安定器、ソケット、端子台は、なんらの加工を要することなく四辺の任意の位置に取付けることができ、これに装着するランプの数も適宜増減できるので、きわめて便利である。
【図面の簡単な説明】
【００２１】
【図１】本発明の一実施の形態に係る照明器具の器具本体の平面図である。
【図２】図１の器具本体を構成する鈑金板材の平面図及び側面図である。
【図３】図１の器具本体に電子部品を取付けた状態を示す平面図である。
【図４】図３の器具本体に装着するランプホルダの上面図及び平面図である。
【図５】器具本体の他の組立状態を示す平面図である。
【符号の説明】
【００２２】
１  器具本体、２  鈑金板材、４ａ，４ｂ  第１の本体接合部の接合穴、４ｃ，４ｄ  第２の本体接合部の接合穴、４ｅ  第３の本体接合部の接合穴、５ａ  第１の安定器取付部の取付穴、５ｂ  第２の安定器取付部の取付穴、５ｃ  第３の安定器取付部の取付穴、６ａ〜６ｅ  ソケット取付部、７ａ，７ｂ  端子台取付部、１０ａ，１０ｂ  安定器、２０ａ〜２０ｃ  ソケット、３０  端子台。
【図１】
2005285622.tif 000003
【図２】
2005285622.tif 000004
【図３】
2005285622.tif 000005
【図４】
2005285622.tif 000006
【図５】
2005285622.tif 000007